(57)【要約】【課題】  使用勝手がよく、省エネにも効果のある保冷庫の提供【解決手段】  食品等を保存するのための保冷庫であって住宅内に設置されるか又は住宅外に併設され、前記保冷庫の庫内温度は前記住宅の室温より低く、外気温度より高くされ、保冷庫１の庫内温度を外気温より高くする場合は、熱交換換気扇１１（Ｒ）の排気９を利用し、冷却する場合は外気を導入するシステとされていることを特徴とする。【選択図】  図１
2005291676.tif 000002
【特許請求の範囲】
【請求項１】
冬期に食品等を保存するのための保冷庫であって住宅内に設置されるか又は住宅外に併設され、前記保冷庫の庫内温度は外気を導入することによって前記住宅の室温より低く、室内用の熱交換換気システムの排気を導入することによって外気温度より高い１〜１５℃にされていることを特徴とした保冷庫。
【請求項２】
保冷庫を断熱材で被い断熱区画したことを特徴とする請求項１に記載の保冷庫。
【発明の詳細な説明】
【技術分野】
【０００１】
本発明は住宅内に設置されるか又は住宅外に併設された食品等保存のための保冷庫に関する。
【背景技術】
【０００２】
従来、寒冷地住宅においては、冬期間に長期に亘って食料品を貯蔵する習慣があり、例えばビール、ジュースやワインなどの飲物の他、酒の肴といった嗜好品などの食料品を、屋内空間の所定の空間を冷蔵庫代わりに利用して保冷することが行なわれている。ところが、近年の寒冷地住宅での断熱性能や気密性能の向上、若しくはセントラルヒーティングの採用に伴って冷蔵庫代わりとなる寒い空間が住宅建物内に存在しなくなってきている。そこで住宅建物の一角に半屋外空間空間を設け、冬期間食料品保冷庫として利用することが特許文献１に提案されている。
【特許文献１】特開２０００−１７０３９８公報
【発明の開示】
【発明が解決しようとする課題】
【０００３】
ところが、上記のような半屋外空間を利用した保冷庫は設置場所も限られる。また特に寒い日には庫内温度が０℃以下になり、凍ってしまう恐れもある。このため、さらに使用勝手がよく、凍る事のない保冷庫の要望が出ている。本発明は、室内又は室外に、もっと設置場所の自由度を上げ、さらに使用勝手がよく、寒い日でも凍ることのない保冷庫を提供することを目的とする。
【課題を解決するための手段】
【０００４】
請求項１の発明は冬期に食品等保存のための保冷庫であって住宅内に設置されるか又は住宅外に併設され、前記保冷庫の庫内温度は外気を導入することによって前記住宅の室温より低く、室内用の熱交換換気システムの排気を導入することによって外気温度より高い１〜１５℃にされていることを特徴とする。
【０００５】
この時保冷庫の中に温度センサーを設置し所定の温度以上になると外気導入ファンが作動し、外気を導入することで、保冷庫内の温度を低下させ、排気は換気口を設け自然排気するとよい。又外気導入ファンの代わりに同時給排気ファンを使用すると排気用換気口は設けなくてもよい。
【０００６】
請求項２に記載の発明は請求項1に記載の保冷庫に係り前記保冷庫は保冷庫全体を断熱材で被い断熱区画したことを特徴とする。断熱材としてはグラスウールや、ポリエチレン、ポリスチレン、アクリル等の発泡プラスチックなどが使用される。
（作用）
【０００７】
請求項１に記載の保冷庫によると、冬期暖房している住宅内に保冷庫が設置され、庫内に冷たい外気を導入することで、庫内温度を室温より低下させ、室内用の熱交換換気システムから排気される、室温より低く、外気温より高い排気を庫内に導入することで、凍ることのない、1〜１５℃にすることができる。
又保冷庫は住宅外に併設しても前記と同様にして庫内温度を設定できる。前記保冷庫の室温は前記住宅の室温より低く、外気温度より高いので  冬季間、保管された食品の腐敗を防止し、凍らせることもない。保冷庫の室温は住宅の室温２２℃程度に対しこれより低い１℃から１５℃が適当であり、特に５℃から１０℃が最適である。
【０００８】
そして、保冷庫の温度を上昇させる時は熱交換喚気システムの排気を利用し、温度を低下させる時は外気を導入するので、新たな熱源を必要とせず、保冷庫内の温度管理が可能となり、また熱の有効利用もできる。さらに保冷庫内に温度センサーを取り付け、換気扇を連動させ、保冷庫内を換気することにすれば、より保冷庫内の温度を精度よく管理することができる。
【０００９】
請求項２に記載の前記保冷庫は保冷庫全体を断熱材で被い断熱区画しているので、暖かい室内に設置された保冷庫内の庫内温度を低く保つのが容易で、又寒い屋外に設置された保冷庫内の温度を高く保つのが容易であり、保冷庫の設置場所の自由度が向上する。
【発明の効果】
【００１０】
本発明の請求項１における保冷庫によれば保冷庫の庫内温度は前記住宅の室温より低く、外気温より高く設定され、食品等保存のための保冷庫を住宅内に設置又は住宅に併設するので、冬期間でも凍ることなく、住宅内の使い易い場所、例えば玄関付近や、キッチンや、家事室等にも設置し、見栄えもよく、前記保冷庫を大きな冷蔵庫感覚で使用することができる。又もっと大きな保冷庫が必要な時は、住宅外に併設することで、設置の自由度が向上し、使用勝手が向上する。
【００１１】
保冷庫の温度を上昇させる時は熱交換喚気システムの排気、すなわち暖かい室内から排気され熱交換された空気を利用し、温度を低下させる時は外気を導入するので新たな熱源を必要とせず、保冷庫内の温度管理が可能となる。また排気として捨てられる熱の有効利用もでき、省エネルギーになる。
【００１２】
本発明の請求項２における保冷庫によれば、保冷庫は保冷庫全体を断熱材で被い断熱区画しているので、暖かい室内でも保冷庫内の室温を低く保つことができ、保冷庫を寒い屋外に設置した場合でも保冷庫内の室温を高く保つことができ、保冷庫設置場所の自由度が向上する。
【発明を実施するための最良の形態】
【００１３】
以下に実施例を挙げて、本発明をさらに詳しく説明する。
図１，図２，図３は本発明の実施例を説明する熱交換換気扇を利用した保冷庫のシステムを示す図で、１，１ａ，１ｂは保冷庫、２，２ａ，２ｂは保冷庫給気口、３，３ａは保冷庫排気口、４ａは保冷庫外気給気口、５ｂは保冷庫同時給排気口、１１（Ｒ）は熱交換換気扇、６は室内排気口、７は室内給気口、８は外気給気口、９は排気口を表す。
図４は本発明の実施の形態の一例を示す図で住宅内に保冷庫を設置した住宅の1階間取りの平面図である。
【実施例１】
【００１４】
図１において、1は本発明に係る保冷庫を示し、保冷庫１内には保冷庫給気口２と保冷庫排気口３が設けられ、保冷庫の周囲は断熱材で被覆されて断熱区画されている。
１１（Ｒ）は第1種熱交換換気扇で内部に給気ファン、排気ファンを有し、空気の通り道がプレートで給気用通路と排気用通路に分けられ、プレート部を空気が通る時、高温の室内排気から低温の外気からの給気に熱交換される仕組みになっている。
室内を換気する時、暖かい室内の空気は、室内排気口６を通り、熱交換プレート（不図示）を通り、熱交換プレートを通る外気と熱交換され、排気口９に送られる。
外気は外気吸入口８から吸入され熱交換プレート（不図示）を通り、室内空気と熱交換され、室内給気口７から室内に給気される。
【００１５】
保冷庫給気口２は、熱交換換気扇１１（Ｒ）からの排気口９に配管接続され、室内空気が熱交換換気扇１１（Ｒ）内で熱交換されて温度が低くなるが、外気温よりは高い空気が保冷庫１内に供給され、庫内の排気は保冷庫排気口３から自然排気される。このようにすると前記保冷庫１の庫内温度が前記住宅の室温より低く、外気温度より高い1〜１５℃の保冷庫とすることができる。
【実施例２】
【００１６】
図２において、1ａは本発明に係る保冷庫で、保冷庫１ａ内には保冷庫給気口２ａと保冷庫排気口３ａ、保冷庫外気給気口４ａが設けられ、温度センサー１０が保冷庫内に設置される。保冷庫の周囲は実施例１と同様で断熱材で被覆され断熱区画されている。
実施例１と同様の熱交換換気扇が配設され、保冷庫給気口２ａには、熱交換換気扇の排気口が配管接続される。熱交換換気扇の働きは実施例１と同様なので説明は省略する。
保冷庫外気給気口４ａには外気導入用の換気扇が設置され、温度センサー１０により、庫内温度がある温度以上になると換気扇が回り、冷たい外気が導入されるようになっている。
庫内の排気は保冷庫排気口３ａから自然排気される。このようにすると保冷庫内の温度管理の自由度が増加し最適な保冷庫内温度を保つことができる。
【実施例３】
【００１７】
図３において、1ｂは本発明に係る保冷庫で、保冷庫１ｂ内には保冷庫給気口２ｂと保冷庫同時給排気口５ｂが設けられ、温度センサー１０が保冷庫内に設置される。
保冷庫の周囲は実施例１と同様で断熱材で被覆されている。
実施例１と同様の熱交換換気扇が配設され、保冷庫給気口２ｂには、熱交換換気扇の排気口が配管接続される。熱交換換気扇の働きは実施例１と同様なので説明は省略する。
実施例２との違いは、実施例２の保冷庫外気給気口４ａの外気導入用の換気扇の代わりに保冷庫同時給排気口５ｂに同時給排気換気扇を設置したことで、庫内温度センサー１０により、庫内温度がある温度以上になると、同時給排気換気扇が作動し、冷凍庫内空気の排気と冷たい外気の導入が同時に行われるようになっている。
このようにするとさらに、保冷庫内の温度管理の自由度が増加し最適な保冷庫内温度を保つことができる。
【実施例４】
【００１８】
図４に本発明の実施形態に係る保冷庫１を住宅内の家事スペースに設けた住宅の1階部分の平面図を示す。
図４は住宅の1階平面図を示しＧは玄関、Ｎは納戸、Ｈはホール、Ｔはトイレ、Ｓはサニタリー、Ｌはリビングルーム、Ｗは家事スペース、Ｋはキッチン、ＫＴは勝手口、Ｄはダイニングルームで１１（Ｒ）は第1種熱交換型換気扇である。Ｗの家事スペースには例えば洗濯物をたたむ等の家事作業に適した作業台が設けられている。
その作業台下の空間の保冷庫設置スペース（イ）を利用して食品庫が設置されている。食品庫は本発明の保冷庫になっており、図１に示した熱交換換気扇１１（Ｒ）が家事スペースＷの壁に設置されており、その保冷庫１と第1種熱交換換気扇１１（Ｒ）の間のダクト配管について図では省略されている。
【００１９】
これ以後配管の説明は図4と図1を参照して説明する。
保冷庫１の周囲は断熱材で被覆され、食品を出し入れするための扉が取り付けられている。又１１（Ｒ）の熱交換換気システムについて図示せずに簡単に説明すると、
保冷庫１内には保冷庫給気口２と保冷庫排気口３が設けられている。
家事スペースＷの壁に設置された第1種熱交換換気扇１１（Ｒ）には室内側に室内排気口６と室内給気口７が設けられている。
室内の温かい空気は熱交換換気扇１１（Ｒ）の室内排気口６から取りこまれ、熱交換された後、排気口９に送られる。そしてその空気が、保冷庫給気口２から供給されるように、排気口９と保冷庫給気口２が配管接続される。保冷庫の保冷庫排気口３と第1種熱交換換気扇１１（Ｒ）の外気給気口８は外気に開放されて配管される。
【００２０】
また保冷庫１の設置場所としては、使い勝手、広さ等を考慮して設置することができ、例えば図４の納戸Ｎの部分（ロ）に設置したり、納戸Ｎ全体を保冷庫１にすると、使用勝手がよい保冷庫１になる。又住宅外に設置するには例えば図４の住宅外保冷庫設置場所（ハ）のように勝手口ＫＴから近く，熱交換換気扇１１（Ｒ）の設置されている壁から近いところに保冷庫１を設置してもよく、より広さも自由な保冷庫１を設置することができる。
ここでは実施例１のシステムの例を説明したが、実施例２，実施例３の例も同様に設置することができる。尚、保冷庫外気給気口４ａは、給排気可能なものであってもよい。
【産業上の利用可能性】
【００２１】
本発明は住宅内に設置又は住宅に併設された食品等保存のための保冷庫に関するものであるが室内排気の熱を有効に利用する分野で利用可能である。
【図面の簡単な説明】
【００２２】
【図１】本発明の保冷庫の一実施例を説明する熱交換換気扇を利用した保冷庫のシステムを示す図である。
【図２】本発明の保冷庫の他の実施例を説明する保冷庫のシステムを示す図である。
【図３】本発明の保冷庫の更に他の実施例を説明する保冷庫のシステムを示す図である。
【図４】図１で示した保冷庫を住宅内に設置した状態の平面図である。
【符号の説明】
【００２３】
１，１ａ，１ｂ      保冷庫
２，２ａ，２ｂ      保冷庫給気口
３，３ａ            保冷庫排気口
４ａ                保冷庫外気給気口
５ｂ                保冷庫同時給排気口
６                  室内排気口
７                  室内給気口
８                  外気給気口
９                  排気口
１０                温度センサー
１１（Ｒ）          熱交換換気扇
【図１】
2005291676.tif 000003
【図２】
2005291676.tif 000004
【図３】
2005291676.tif 000005
【図４】
2005291676.tif 000006